(57)【要約】  【課題】  制御基板ケースと中継基板とそのカバー部材とを互いに分離することができ、簡単に分離可能で点検が行ない易い中継基板の保持構造を備えた遊技機を提供する。  【解決手段】    制御基板ケース８１の外周部に、起立壁９２により区画された中継基板１０１を収納する収納室９１を形成し、収納室９１には、その開口を覆うカバー部材１１１を着脱可能に備え、カバー部材１１１には、中継基板１０１のコネクタ１０２もしくはコネクタケーブル１３１が通過可能で、中継基板１０１のベース基板１０３が通過しえない挿通口１１３を備え、カバー部材１１１の挿通口１１３を通して、中継基板１０１のコネクタ１０２にコネクタケーブル１３１を差し込んだ状態で、収納室９１内に中継基板１０１を配し、カバー部材１１１を装着して収納室９１の開口を覆って、収納室９１内に中継基板１０１を保持する構造を有する遊技機１を構成する。【選択図】  図４
2006187362.tif 000002
【特許請求の範囲】
【請求項１】
制御基板を収納する制御基板ケースの外周部に、信号を中継するコネクタをベース基板に搭載した中継基板を保持する構造を備えた遊技機において、
前記制御基板ケースの外周部に、起立壁により区画された前記中継基板を収納する収納室を形成し、
該収納室には、その開口を覆うカバー部材を着脱可能に備え、
該カバー部材には、前記中継基板のコネクタもしくは該コネクタに差し込まれるコネクタケーブルが通過可能で、前記中継基板のベース基板が通過しえない挿通口を備え、
前記収納室内に前記中継基板を配し、前記カバー部材を装着して収納室の開口を覆うことにより、該収納室内に前記中継基板を非固定状態で保持するとともに、該カバー部材の挿通口から臨む前記中継基板のコネクタに、前記コネクタケーブルを差し込む構造としたことを特徴とする遊技機。
【請求項２】
前記カバー部材は、着脱可能な係止手段によって収納室または制御基板ケースの外周部に装着され、該係止手段は前記カバー部材の一部に保持されていることを特徴とする請求項１に記載の遊技機。
【発明の詳細な説明】
【技術分野】
【０００１】
本発明は、制御基板を収納する制御基板ケースの外周部に、信号を中継するコネクタが搭載された中継基板を保持する構造を備えた遊技機に関する。
【背景技術】
【０００２】
パチンコ機やスロット遊技機等の遊技機の背面には、遊技媒体タンク、遊技媒体払出装置等の種々の機器が配設されており、特別遊技制御などの主たる制御を司る主制御基板、画像処理装置における画像表示の制御を司る表示制御基板など、各種の制御基板が制御基板ケースに収納された状態でユニット化して配設されている。
【０００３】
また、遊技機の背面には、信号を中継するコネクタが搭載され、コネクタケーブルの取り回しを行う中継基板が配設されるが、中継基板の取付け位置を確保するため、従来より、制御基板ケースの外周部を利用して中継基板を取り付けることが行われている。例えば、特開２００３−３１０９７８号公報（特許文献１）には、制御基板ケースの外周部に中継基板を取り付けるための凹部を設け、該凹部を中継基板のコネクタの頂部が突出しない深さに形成した発明が開示されており、これにより、中継基板の取付け位置を確保することができる。
【０００４】
ところで、上記制御基板には、不正な部品が取り付けられる虞れがあり、定期的にまたは必要に応じて制御基板ケースの内部を点検できることが望ましい。しかし、特許文献１では、凹部内に中継基板をビスで固定しているので、制御基板ケースの内部点検を行う度に、ビスをゆるめて中継基板を取り外す必要があり、点検作業が面倒であった。
【０００５】
そこで、例えば、特開平５−２８５２６５号公報（特許文献２）のように、中継基板とそのカバー部材とを一体的に構成してユニット化し、これを制御基板ケースに対して着脱自在に取り付ける構造が採用されている。
【０００６】
また、例えば、特開２００２−０３５２３８号公報（特許文献３）のように、中継基板とそのカバー部材とを一体的に構成し、そのカバー部材を制御基板ケースに対して蝶番により開閉自在に取り付ける構造が採用されている。
【特許文献１】特開２００３−３１０９７８号公報
【特許文献２】特開平５−２８５２６５号公報
【特許文献３】特開２００２−０３５２３８号公報
【発明の開示】
【発明が解決しようとする課題】
【０００７】
しかしながら、特許文献２に開示された構造では、中継基板とそのカバー部材とをビス固定して一体的にユニット化しているので、これら中継基板とカバー部材との間に不正部品が組み込まれた場合には、点検がし難いという問題があった。また、特許文献３についても、中継基板とそのカバー部材とを一体的に構成しているので、これと同様の問題が存在し、蝶番を設けた部位が死角と成り得る。
【０００８】
本発明は、上記の事情に鑑みて創案されたものであり、その目的は、制御基板ケースと中継基板とそのカバー部材とを互いに分離することができ、簡単に分離可能で点検が行ない易い中継基板の保持構造を備えた遊技機を提供することにある。
【課題を解決するための手段】
【０００９】
本発明は上記目的を達成するために提案されたもので、請求項１に記載のものは、制御基板を収納する制御基板ケースの外周部に、信号を中継するコネクタをベース基板に搭載した中継基板を保持する構造を備えた遊技機において、
前記制御基板ケースの外周部に、起立壁により区画された前記中継基板を収納する収納室を形成し、
該収納室には、その開口を覆うカバー部材を着脱可能に備え、
該カバー部材には、前記中継基板のコネクタもしくは該コネクタに差し込まれるコネクタケーブルが通過可能で、前記中継基板のベース基板が通過しえない挿通口を備え、
前記収納室内に前記中継基板を配し、前記カバー部材を装着して収納室の開口を覆うことにより、該収納室内に前記中継基板を非固定状態で保持するとともに、該カバー部材の挿通口から臨む前記中継基板のコネクタに、前記コネクタケーブルを差し込む構造としたことを特徴とする遊技機である。
【００１０】
請求項２に記載のものは、前記カバー部材は、着脱可能な係止手段によって収納室または制御基板ケースの外周部に装着され、該係止手段は前記カバー部材の一部に保持されていることを特徴とする請求項１に記載の遊技機である。
【発明の効果】
【００１１】
本発明の遊技機によれば、以下のような優れた効果を奏する。
即ち、請求項１に記載の発明によれば、前記収納室内に中継基板を配し、前記カバー部材の挿通口を通して、前記中継基板のコネクタにコネクタケーブルを差し込んだ状態で、前記カバー部材を装着して収納室の開口を覆うことにより、該収納室内に前記中継基板を保持する構造を有しているので、中継基板の組み付け作業の効率化を図ることができる。
【００１２】
一方、不正部品が組み込まれているか否かの点検時においては、制御基板ケースと中継基板とカバー部材とが互いに分離可能で、中継基板の表面側と裏面側をひっくり返して不正な部品が装着されているか否かを簡単に確かめることができ、点検作業が行ない易い。また、前記中継基板のコネクタにコネクタケーブルを差し込んだ状態で前記カバー部材を取り外した場合には、中継基板のベース基板がカバー部材の挿通口を通過しないので、コネクタケーブル側に中継基板とカバー部材が残存した状態となり、中継基板やカバー部材を紛失等する虞れがない。
【００１３】
請求項２に記載の発明によれば、前記カバー部材を着脱するに際して工具を必要としない。また、ネジ等の前記カバー部材から取り外せる止着部材で固定する場合には、ネジ等の止着部材を紛失してしまう虞れがあるが、前記係止手段はカバー部材の一部に保持されているので、紛失の虞れがなく、係脱も容易であって、制御基板ケースから中継基板、カバー部材及び係止手段を簡単に分離可能である。
【発明を実施するための最良の形態】
【００１４】
以下、本発明を実施するための最良の形態を図面に基づいて説明する。
図１はスロット遊技機を右斜め前方から見た斜視図、図２は前面枠を開いた状態のスロット遊技機の斜視図である。
【００１５】
図１及び図２に示すように、本実施形態では、本発明の遊技機をスロット遊技機１として構成したものであり、このスロット遊技機１は、数字や図柄等の識別情報を可変表示する可変表示装置４と、この可変表示装置４とホッパー５を内部に設けた筺体２と、この筺体２の前面に開閉可能に取り付けられた前面枠３と、から概ね構成されている。
【００１６】
筺体２は、図２に示すように、前面が開放され、前側縁が傾斜した台形状の左右側面、底面、上面、及び背面からなる箱体であり、上部が後退するように前面の開放部が少し傾斜して形成されている。そして、この筺体２の内部の上半部には可変表示装置４が設けられると共に、下半部には賞メダルを排出するホッパー５が設けられており、筐体２の背面の上記可変表示装置４よりも上部には、遊技制御などの主たる制御を司る遊技制御装置（主制御基板）６１が配設されている。
【００１７】
可変表示装置４は、いわゆるドラム式（リール式）のユニットであり、図２に示すように、筺体２内の上下略中央に左右方向に架設した支持材６上に、前面が開口したユニットケース７を取り付け、このユニットケース７の内部に、パルスモータの駆動により回転するリール９を立てた状態で３つ横に並べて設け、各リール９の外周に数字や図柄を表示したフィルムを巻装し、また、各リール９の内部には、フィルムを裏側から照らす不図示のバックライトを設け、遊技制御装置（主制御基板）６１により各パルスモータを制御して、それぞれ独立して回転又は停止するように構成されている。したがって、以下の説明において、必要に応じて可変表示装置４をリールユニットと呼ぶことがある。この可変表示装置４は、フィルムの前方に突出した部分（例えば、識別情報の上下３つ分の範囲）が表示部１１として機能し、この表示部１１が前面枠３の可変表示用開口部１２に臨んでいる。なお、本実施形態では、可変表示装置４として機械的に駆動するドラム式（リール式）のものを装備しているが、例えば、液晶表示装置等の画像表示装置により数字や図柄をソフト的に表示するように構成してもよい。また、このリールユニット４のユニットケース７の上面には中継基板１５１が配されており、その保持構造については後で詳細に説明する。
【００１８】
上記筐体２の左内側縁部には、前面枠３を前面に支持して開閉するためのヒンジ部１３が上下２箇所に取り付けられており、本実施形態では、前面枠３は上部フレーム２１と下部フレーム２２から形成されている。上部フレーム２１の前面側にはプラスチックを射出成型することにより形成された略四角形の装飾部材２３が少し前方に隆出する状態で装着され、その裏面中央には液晶表示装置（ＬＣＤ）７２を備える画像表示ユニット７１が配設され、その上部の左右両側にスピーカー２５が配設されている。したがって、上記装飾部材２３において、上記スピーカー２５に相当する部位にはスピーカー用開口部２６が開設され、少なくとも画像表示ユニット７１の前面部分は表示画像を視認可能な無色又は有色透明のクリア部２７として形成されている。上記画像表示ユニット７１の裏面には中継基板１０１が配されており、その保持構造については後で詳細に説明する。
【００１９】
下部フレーム２２の上半部分には、上記前面枠３の可変表示用開口部１２が開設されており、この可変表示用開口部１２の裏面側にはメインパネルユニット１４が配設されている。
【００２０】
下部フレーム２２の下半部分の前面側には、プラスチックを射出成型することにより形成された略四角形の装飾部材３１が少し前方に隆出する状態で形成され、その上端面にはクレジット操作部３２と上方へ起立したメダル投入口部材３３が設けられ、前面上部にはスタートスイッチ３４や各リール９に対応する３つのストップスイッチ３５が設けられている。これら操作部の右側には前面枠３を筐体２に固定して施錠するシリンダ錠４１が取り付けられ、中央に長方形状の装飾パネル４２を介して、下端近傍の略中央には賞メダル排出口４３を開設し、その前面側下方に下皿４４を設け、その左側に灰皿４５を設けている。上記装飾パネル４２は、透光性の板であって、例えば、樹木の図柄が施されており、その裏面には、例えば、装飾発光体としての蛍光管が設けられており、その下部の上記賞メダル排出口４３の両側にはスピーカー用開口部４６が開設されている。また、下部フレーム２２の下半部分の裏面には、上部にメダル判別装置５１を有し、このメダル判別装置５１で不適正であると判別されたメダルを上記賞メダル排出口４３へと導くメダル流路カバー５２が設けられており、上記スピーカー用開口部４６の裏面にはスピーカー５３が設けられている。
【００２１】
そして、本実施形態のスロット遊技機１の一側部（図１では左側部）には、このスロット遊技機１と対にしてカードユニット（図示せず）が併設され、上記メインパネルユニット１４の左下隅部には、カードユニット用の操作部５４が設けられている。
【００２２】
次に、上記画像表示ユニット７１の裏面に配された中継基板９１の保持構造について説明する。図３は画像表示ユニットの分解斜視図、図４は中継基板の保持構造の分解斜視図である。
【００２３】
まず、画像表示ユニット７１の構造について説明する。図３に示すように、長方形平板状を呈する液晶表示装置（ＬＣＤ）７２は、前面に表示面７３を臨ませるように配される液晶パネル７４と、この液晶パネル７４の裏面側に一体的に設けられ、電子部品が実装された画像制御基板７５と、から構成され、この液晶表示装置７２は制御基板ケース８１内に収納される。この制御基板ケース８１は、液晶パネル７４の周囲を覆うように液晶表示装置７２の前面に装着され、内部が視認可能な透明の合成樹脂材により形成された矩形額縁状のパネル側ケース８２と、上記画像制御基板７５を保護するように液晶表示装置７２の裏面に装着され、内部が視認可能な透明の合成樹脂材により形成された箱体状の基板側ケース８３と、から形成されている。上記基板側ケース８３の左側部には、上記パネル側ケース８２の左側部に係止するための係止爪８５が突設されており、上記パネル側ケース８２及び基板側ケース８３の右側部には、これらのケースを結合するための止着部８６、８７がそれぞれ設けられている。さらに、上記パネル側ケース８２の左右両側部の四隅近傍には、この画像表示ユニット７１を前面枠３に取り付けるための止着孔を有する止着部８８が設けられている。
【００２４】
図４に示すように、上記制御基板ケース８１の外周部の一部、即ち、画像制御基板７５を裏面側から保護する上記基板側ケース８３の裏面の略中央部には、信号を中継するコネクタ１０２の搭載された中継基板１０１を収納する収納室９１が形成されており、この収納室９１は、長方形状の中継基板１０１を囲むように形成された起立壁９２により区画されている。この収納室９１を区画する起立壁９２の高さは、少なくとも上記中継基板１０１のベース基板１０３の厚みよりも高く形成されており、その上辺及び下辺の一部には、後述するカバー部材１１１を固定するための止着孔を有するボス状の止着部９４が設けられている。
【００２５】
上記収納室９１内に収納する中継基板１０１は、配線パターンの施された平板状のベース基板１０３上に複数のコネクタ１０２等を実装した基板であり、本実施形態では、ベース基板１０３上に左側のコネクタ１０４、上部の４連コネクタ１０５、及び下部の３連コネクタ１０６が後方へ突出するように実装されている。この中継基板１０１は、例えば、上記画像表示ユニット７１の画像制御基板７５と上記主制御基板６１との中継を行う。
【００２６】
また、上記収納室９１内に上記中継基板１０１を配しても、該収納室９１の後面は開口されているが、その開口は、該収納室９１に着脱自在に備えられたカバー部材１１１により覆われる。このカバー部材１１１は、上記収納室９１よりも縦長の長方形の板材であり、その上下方向の中間部分には上記収納室９１を覆う蓋部分１１２が後方へ突出して形成されている。このカバー部材１１１の蓋部分１１２には、上記中継基板１０１のコネクタ１０２、もしくは該コネクタ１０２に差し込むコネクタケーブル１３１が通過可能な挿通口１１３が開設されている（図７参照）。この挿通口１１３は矩形の貫通口であり、上記中継基板１０１のコネクタ１０２、もしくはコネクタケーブル１３１が通過可能で、上記中継基板１０１のベース基板１０３が通過しえない大きさに設定されている。本実施形態では、上記カバー部材１１１の蓋部分１１２に、上記収納室９１内に配される中継基板１０１の左側のコネクタ１０４、上部の４連コネクタ１０５、及び下部の３連コネクタ１０６に対応するように、それぞれ各コネクタ１０４、１０５、１０６が通過し得る大きさを有する矩形長孔状の挿通口１１４、１１５、１１６が開設されている。
【００２７】
さらに、上記カバー部材１１１の蓋部分１１２の上面及び下面の一部には、上記止着部９４に対応するように、不図示のネジ等の止着部材を挿通させる挿通孔１２１が設けられている。そして、上記カバー部材１１１の蓋部分１１２の上下に延出された延出部１２２、１２３上には、上記中継基板１０１のコネクタ１０２に差し込んだコネクタケーブル１３１のケーブル部分を束ねるための縦方向結束部１２５と横方向結束部１２６とがそれぞれ設けられている。各結束部１２５、１２６は、環状の合成樹脂材であり、その外面にはケーブル延出方向に対して傾斜したスリット状のケーブル挿入部１２７が形成されており、該ケーブル挿入部１２７がケーブル延出方向に対して傾斜しているので、結束部１２５、１２６からケーブルが飛び出すことはない。
【００２８】
なお、本実施形態では、上記挿通口１１３が、中継基板１０１のコネクタ１０２が通過し得る大きさに設定されているが、コネクタ１０２が通過不能であってコネクタケーブル１３１のみが通過し得る大きさに設定してもよい。ここで、コネクタケーブル１３１とは、配線ケーブルの先端部に、コネクタ１０２と係合する受け側のコネクタが装着されたものをいい、上記カバー部材１１１から上記中継基板１０１のコネクタ１０２を露出させない場合には、上記挿通口１１２にコネクタケーブル１３１を通過させて上記収納室９１内に導入することになり、この場合は、コネクタケーブル１３１のケーブル部分またはケーブル先端に装着された受け側のコネクタ部分が通過可能な大きさに設定すればよい。
【００２９】
次に、上記画像表示ユニット７１の裏面に配する中継基板９１の保持手順及びその作用を説明する。図５は収納室、中継基板及びカバー部材の配置を示す分解断面図、図６はカバー部材から中継基板のコネクタを導出した状態の分解断面図、図７はカバー部材の挿通口を介して中継基板のコネクタにコネクタケーブルを差し込んだ状態の分解断面図である。
【００３０】
図４及び図５に示すように、中継基板１０１は、上記基板側ケース８３の裏面の略中央部に形成された収納室９１と、上記収納室９１の開口を覆うカバー部材１１１との間に配される。まず、図６に示すように、カバー部材１１１の挿通口１１３から中継基板１０１のコネクタ１０２が導出するように、カバー部材１１１の蓋部分１１２内に中継基板１０１を配する。そして、上記中継基板１０１のコネクタ１０２に、上記挿通口１１３を通して、コネクタケーブル１３１を差し込んだ状態で、図７に示すように、中継基板１０１を収納室側へずらして、上記収納室９１内に中継基板１０１を配し、上記カバー部材１１１を装着して収納室９１の開口を覆い、上記カバー部材１１１の挿通孔１２１にネジ等の止着部材を通過させて上記収納室９１の止着部９４に止着することにより、該収納室９１内に中継基板１０１を非固定状態で保持することができ、中継基板１０１の組み付け作業の効率化を図ることができる。
【００３１】
このような保持構造を有しているので、不正部品の組み込まれているか否かの点検時においては、上記ネジ等の止着部材を取り外しさえすれば、制御基板ケース８１と中継基板１０１とカバー部材１１１とが互いに分離可能であり、中継基板の表面側と裏面側をひっくり返して不正な部品が装着されているか否かを簡単に確かめることができ、不正部品の有無の点検作業がし易い。また、中継基板１０１のコネクタ１０２にコネクタケーブル１３１を差し込んだ状態で上記カバー部材１１１を取り外した場合には、中継基板１０１のベース基板１０３がカバー部材１１１の挿通口１１３を通過しないので、図７に示した状態と同様に、コネクタケーブル１３１側に中継基板１０１とカバー部材１１１が残存した状態（コネクタケーブル１３１に、中継基板１０１とカバー部材１１１が引っ掛かる状態）となるので、中継基板１０１やカバー部材１１１を紛失したりする虞れがない。
【００３２】
また、上記実施形態では、上記カバー部材１１１に設けた挿通孔１２１にネジ等の止着部材を通過させて上記収納室９１に設けた止着部９４に止着することにより、収納室９１の開口を覆うようにカバー部材１１１を取り付けているが、これに限るものではなく、図８及び図９に示すような着脱可能な係止手段１４１によって、上記カバー部材１１１を収納室９１に装着するように構成してもよい。図８は収納部、中継基板、カバー部材及び係止部材の分解断面図、図９は係止部材の一例の模式図である。
【００３３】
図８に示すように、カバー部材１１１は、着脱可能な係止手段１４１によって収納室９１の一部に設けた不図示の係止孔に装着されるように成っており、この係止手段１４１はカバー部材１１１の一部に遊嵌保持されている。本実施形態における係止手段１４１は、例えば、図９に示すように、操作部１４２から延びた軸１４３の先端に太径部１４４が形成されており、軸１４３の外側に「く」字状の脚部１４４が複数本備えられ、操作部１４２を押し込むと、太径部１４５が脚部１４４の先端部分を拡大することにより脚部１４４の基端近傍部分が拡大し、この拡大する力により上記収納室９１の起立壁９２に設けた不図示の係止孔から外れないように係止できるように構成されている。なお、この係止手段１４１を係止する係止孔は、上記基板側ケース８３の裏面に設けてもよい。
【００３４】
上記のような係止手段１４１をカバー部材１１１に備えることにより、上記と異なり、カバー部材１１１を着脱するに際して工具を必要としない。また、ネジ等のカバー部材１１１から取り外せる形式の止着部材で固定する場合には、ネジ等の止着部材を紛失してしまう虞れがあるが、この係止手段１４１はカバー部材１１１の一部に保持されているので、紛失の虞れがなく、係脱も容易であって、制御基板ケース８１から中継基板１０１、カバー部材１１１及び係止手段１４１を簡単に分離可能となるものである。
【００３５】
次に、上記リールユニット４に配された中継基板１５１の保持構造について説明する。図１０はリールユニット及び中継基板の斜視図、図１１は収納部及び中継基板の分解斜視図、図１２は収納部への中継基板の支持構造を示す断面図である。
【００３６】
図１０及び図１１に示すように、上記リールユニット４のユニットケース７の上面には、中継基板１５１が配されており、この中継基板１５１は箱体状の収納部１６１の上面側に配される第１基板１５２と、下面側に配される不図示の第２基板とから成っている。上記リールユニット４の各リール９の内側に配されている不図示のバックライトは、上記画像表示ユニット７１内の画像制御基板７５により制御されるので、第１基板１５２は、例えば、上記リールユニット４内のバックライトと上記画像制御基板７５とを接続する。また、上記リールユニット４の各リール９を駆動する各パルスモータやセンサは上記遊技制御装置（主制御基板）６１により制御されるので、第２基板は、例えば、上記リールユニット４内の各パルスモータやセンサと上記主制御基板６１とを接続する。
【００３７】
上記ユニットケース７の上面には、第１基板１５２を収納する収納室１６１が形成されており、この収納室１６１は、長方形状のベース板部材１６２の四辺に起立壁１６３を起立させて区画されている。この収納室１６１を区画する起立壁１６３の高さは、少なくとも上記第１基板１５２のベース基板１５３の厚みよりも高く形成されており、この収納室１６１は、収納室１６１のベース板部材１６２の裏面に配される不図示の第２基板とともに、上記ユニットケース７上に設けられている。
【００３８】
上記収納室１６１には、３つの挿通口１６５が開設されており、この挿通口１６５から第２基板のコネクタを収納室１６１側へと導出するように成っている。また、図１１及び図１２に示すように、収納室１６１のベース板部材１６２の左右方向の一側部には、第１基板１５２の左右方向一側部を係止するための係止部１７１が設けられる一方、ベース板部材１６２の左右方向の他側部には、第１基板１５２の左右方向他側部を差し込むための差込み部１８１が設けられている。図１２に示すように、上記係止部１７１は、断面形状が「Ｌ」字状を呈するように形成されており、その内面には基板端部の規制部１７２が突設され、その下方のベース板部材１６２上には支持突起部１７２が形成されている。また、差込み部１８１は、断面形状が「コ」字状を呈しており、その下片１８２の高さは上記支持突起部１７２の上端と同じレベルとなるように形成されている。
【００３９】
第１基板１５２は、配線パターンの施された平板状のベース基板１５３上に複数のコネクタ１５４等を実装した基板であり、本実施形態では、ベース基板１５３上に側部のコネクタ１５５、及び３連コネクタ１５６が上方へ突出するように実装されている。上述したように、この第１基板１５２は、例えば、上記リールユニット４内のバックライトと上記画像制御基板７５との中継を行う。
【００４０】
次に、上記ユニットケース７の上面に配する中継基板１５１の保持手順及びその作用を説明する。図１３は収納部の係止部に中継基板の一側を支持した状態を示す断面図、図１４は収納部の係止部及び差込み部に中継基板を支持した状態を示す断面図である。
【００４１】
まず、図１１において説明したように、ベース板部材１６２の裏面に第２基板を配し、各挿通口１６５から第２基板のコネクタを収納室１６１側へ導出させ、上記ユニットケース７の上面に、該第２基板のコネクタが導出している収納室１６１を配設する。次に、図１３に示すように、収納室１６１のベース板部材１６２の左右方向一側部に設けた係止部１７１に、第１基板１５２の左右方向一側部を斜めに係止した状態で、上記支持突起部１７２を支点として、第１基板１５２の他側部を下方へと回動させる。この操作により、上記係止部１７２は上方へと若干撓み、第１基板１５２の他側部を上記差込み部１８１に妨げられることなく下方へ着座し得ることになる。この状態で、第１基板１５２を左右方向の他側方へずらすことにより、図１４に示すように、第１基板１５２の他側部が上記差込み部１８１に挿入され、一側端は上記規制部１７２に突き当たった状態となり、第１基板１５２は上記支持突起部１７３及び上記差込み部１８１の下片１８２上に支持されることになる。
【００４２】
さらに、図１５及び図１６を用いて、上記第１基板１５２の保持構造の変形例を説明する。図１５は第１基板の保持構造の変形例の分解斜視図、図１６は第１基板の保持構造の変形例の平面図である。
【００４３】
図１５及び図１６に示すように、この変形例では、上記収納室１６１のベース板部材１６２に左右方向一側部に設けた係止部１７１、規制部１７２及び支持突起部１７３と、他側部に設けた差込み部１８１を用いて第１基板１５２を保持するだけでなく、該第１基板１５２の長手方向に沿った２辺を把持するように、該第１基板１５２の幅方向の両側に第２基板の複数のコネクタ１９１、１９２を導出して、該コネクタ１９１及び１９２により第１基板１５２を挟持している。したがって、第１基板１５２の幅方向の両側に、長手方向に沿って第２基板の複数のコネクタ１９１、１９２が配置されるように、第２基板のコネクタのレイアウトを設計する必要があり、また、収納室１６１には上記コネクタ１９１、１９２のレイアウトに対応するように挿通口６５を開設する必要がある。特に、この変形例の保持構造によれば、第１基板１５２の位置決めが容易であり、より確実に第１基板１５２を保持し得るものである。
【００４４】
なお、上記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４５】
【図１】スロット遊技機を右斜め前方から見た斜視図である。
【図２】前面枠を開いた状態のスロット遊技機の斜視図である。
【図３】画像表示ユニットの分解斜視図である。
【図４】中継基板の保持構造の分解斜視図である。
【図５】収納室、中継基板及びカバー部材の配置を示す分解断面図である。
【図６】カバー部材から中継基板のコネクタを導出した状態の分解断面図である。
【図７】カバー部材の挿通口を介して中継基板のコネクタにコネクタケーブルを差し込んだ状態の分解断面図である。
【図８】収納部、中継基板、カバー部材及び係止部材の分解断面図である。
【図９】係止部材の一例の模式図である。
【図１０】リールユニット及び中継基板の斜視図である。
【図１１】収納部及び中継基板の分解斜視図である。
【図１２】収納部への中継基板の支持構造を示す断面図である。
【図１３】収納部の係止部に中継基板を支持した状態を示す断面図である。
【図１４】収納部の係止部及び差込み部に中継基板を支持した状態を示す断面図である。
【図１５】第１基板の保持構造の変形例の分解斜視図である。
【図１６】第１基板の保持構造の変形例の平面図である。
【符号の説明】
【００４６】
１  スロット遊技機
２  筐体
３  前面枠
４  可変表示装置
５  ホッパー
６１  主制御基板
７５  画像制御基板
８１  制御基板ケース
８２  パネル側ケース
８３  基板側ケース
１０１  中継基板
１０２（１０４、１０５、１０６）  コネクタ
１０３  ベース基板
１０４  左側のコネクタ
１０５  ４連のコネクタ
１０６  ３連のコネクタ
１１１  カバー部材
１１２  蓋部分
１１３（１１４、１１５、１１６）  挿通口
１２１  挿通孔
１２２、１２３  延出部
１２５，１２６  結束部
１３１  コネクタケーブル
１５１  中継基板
１５２  第１基板
１５３  ベース基板
１５４  コネクタ
１５５  コネクタ
１６１  収納部
１６２  ベース板部材
１６３  起立壁
１６５  挿通口
１７１  係止部
１９１、１９２  コネクタ
【図１】
2006187362.tif 000003
【図２】
2006187362.tif 000004
【図３】
2006187362.tif 000005
【図４】
2006187362.tif 000006
【図５】
2006187362.tif 000007
【図６】
2006187362.tif 000008
【図７】
2006187362.tif 000009
【図８】
2006187362.tif 000010
【図９】
2006187362.tif 000011
【図１０】
2006187362.tif 000012
【図１１】
2006187362.tif 000013
【図１２】
2006187362.tif 000014
【図１３】
2006187362.tif 000015
【図１４】
2006187362.tif 000016
【図１５】
2006187362.tif 000017
【図１６】
2006187362.tif 000018